(57)【要約】【課題】より便利な画像読取装置およびこれを備えた画像形成装置を提供する。【解決手段】操作表示部１２の表示画面１２２に、画像読取部で読み取った原稿の画像（画像「Ａ」、画像「Ｂ」および画像「Ｃ」）をサムネイル表示させる。サムネイル表示された画像に基づいてページを選択し、解像度を設定することにより、その選択されたページの画像データ（画像「Ａ」および画像「Ｂ」の画像データ）が、設定された解像度で送信先（アドレスＡＤ１，ＡＤ２，ＡＤ３のパーソナルコンピュータ）に同報配信される。【効果】送信先への画像データの送信にかかる時間を短縮できる。送信先の記憶媒体の容量の使用量を削減できる。【選択図】            図４
2004172874.tif 000002
【特許請求の範囲】
【請求項１】
送信機能を有する画像読取装置であって、
原稿の画像を読み取るための画像読取手段と、
上記画像読取手段で読み取った原稿の画像データを記憶可能なデータ記憶手段と、
上記データ記憶手段に記憶されている画像データに基づく原稿の画像をページごとに表示する画像表示手段と、
上記画像表示手段により表示された原稿の画像のうち、送信すべきページおよびそのページの画像の解像度を選択する手段と、
選択されたページの画像に対応する画像データを上記データ記憶手段から読み出し、選択された解像度に変換して送信データを生成する送信データ生成手段と、
生成された送信データを送信するデータ送信手段とを含むことを特徴とする画像読取装置。
【請求項２】
同報配信モードまたは個別配信モードを選択可能であって、個別配信モード時には、上記送信データ生成手段により送信先ごとに送信データを生成できることを特徴とする請求項１記載の画像読取装置。
【請求項３】
同報配信モード時には、上記送信データ生成手段により生成された送信データを複数の送信先に送信できることを特徴とする請求項２記載の画像読取装置。
【請求項４】
請求項１〜３のいずれかに記載の画像読取装置と、
上記画像読取手段により読み取った原稿の画像データに基づく画像を記録用紙に対して画像形成するための画像形成手段とを含むことを特徴とする画像形成装置。
【発明の詳細な説明】
【０００１】
【発明の属する技術分野】
この発明は、原稿の画像を読み取るための画像読取装置およびこれを備えた画像形成装置に関する。
【０００２】
【従来の技術】
従来から、たとえばＬＡＮ（Ｌｏｃａｌ  Ａｒｅａ  Ｎｅｔｗｏｒｋ）などのネットワークを介して接続されている送信先（パーソナルコンピュータなど）に、読み取った原稿の画像データを送信可能な画像読取装置（ネットワークスキャナ装置など）が知られている。
この種の画像読取装置の中には、セットされた複数枚の原稿を１枚ずつ自動的に画像読取部へ搬送する自動原稿搬送装置を備え、読み取った複数ページ分の画像データを電子メールなどを用いて複数の送信先に送信可能となっているものがある。この構成によれば、簡単な作業で複数ページ分の画像データを複数の送信先に送信できるので、便利である。
【０００３】
しかしながら、上記のような画像読取装置では、送信先によっては必要のないページがある場合でも、送信先に全てのページの画像データが送信されてしまう。また、画像データによっては解像度が低くてもよい場合があるにも関わらず、全ての画像データが同じ解像度で送信されてしまう。
したがって、ネットワーク負荷が必要以上に増大して、データ送信に時間がかかったり、送信先の記憶媒体（メモリなど）の容量が必要以上に使用されてしまうなどの問題があった。
【０００４】
一方で、パーソナルコンピュータから受信した画像データに基づく各ページの画像を縮小表示（サムネイル表示）して、操作者がその表示に基づいて選択したページの画像データのみを印刷可能な印刷装置が提案されている（たとえば、特許文献１および２参照）。
【０００５】
【特許文献１】
特開２００１−２８２４７６号公報
【特許文献２】
特開２００１−８０１４２号公報
【０００６】
【発明が解決しようとする課題】
この発明は、かかる背景のもとでなされたもので、より便利な画像読取装置およびこれを備えた画像形成装置を提供することである。
【０００７】
【課題を解決するための手段および発明の効果】
上記目的を達成するための請求項１記載の発明は、送信機能を有する画像読取装置であって、原稿の画像を読み取るための画像読取手段（６）と、上記画像読取手段で読み取った原稿の画像データを記憶可能なデータ記憶手段（９）と、上記データ記憶手段に記憶されている画像データに基づく原稿の画像をページごとに表示する画像表示手段（１２，１２２，２，Ｔ５，Ｅ５）と、上記画像表示手段により表示された原稿の画像のうち、送信すべきページおよびそのページの画像の解像度を選択する手段（１２，２，Ｔ６，Ｔ９，Ｅ６，Ｅ９）と、選択されたページの画像に対応する画像データを上記データ記憶手段から読み出し、選択された解像度に変換して送信データを生成する送信データ生成手段（２，Ｔ１０，Ｅ１０）と、生成された送信データを送信するデータ送信手段（２，Ｔ１２，Ｅ１２）とを含むことを特徴とする画像読取装置である。
【０００８】
なお、括弧内の英数字は、後述の実施形態における対応構成要素などを表す。以下、この項において同じ。
この構成によれば、画像表示手段によって表示された原稿の画像をページごとに選択することにより、読み取った複数ページ分の画像データのうち必要なページだけを選択して、そのページの画像データだけを送信先に送信することができる。また、送信する画像データの解像度をページごとに変換することができる。
【０００９】
したがって、送信先への画像データの送信にかかる時間を短縮できるとともに、送信先の記憶媒体の容量の使用量を削減でき、便利である。
上記画像読取装置には、複数枚の原稿をセットすることができ、セットされている原稿を１枚ずつ自動的に送り出して、上記画像読取手段に読み取らせるための自動原稿搬送手段（５）が備えられていてもよい。
請求項２記載の発明は、同報配信モードまたは個別配信モードを選択可能であって（Ｓ３）、個別配信モード時には、上記送信データ生成手段（２，Ｅ１０）により送信先ごとに送信データを生成できることを特徴とする請求項１記載の画像読取装置である。
【００１０】
この構成によれば、読み取った複数ページ分の画像データのうち必要なページを複数の送信先ごとに選択し、各送信先に送信することができる。したがって、複数の送信先に異なるページの画像データを送信する場合には、送信先の記憶媒体の容量の使用量を必要最低限に削減でき、便利である。
請求項３記載の発明は、同報配信モード時には、上記送信データ生成手段（２，Ｔ１０）により生成された送信データを複数の送信先に送信（同報配信）できる（Ｔ１２）ことを特徴とする請求項２記載の画像読取装置である。
【００１１】
この構成によれば、読み取った複数ページ分の画像データのうち必要なページだけを選択して、そのページの画像データを複数の送信先に送信することができる。したがって、複数の送信先に同じページの画像データを送信する場合には、より短時間で画像データを送信することができ、便利である。
請求項４記載の発明は、請求項１〜３のいずれかに記載の画像読取装置と、上記画像読取手段（６）により読み取った原稿の画像データに基づく画像を記録用紙に対して画像形成するための画像形成手段（１４）とを含むことを特徴とする画像形成装置である。
【００１２】
この構成によれば、請求項１〜４のいずれかに記載の発明と同様の効果を奏する画像形成装置を提供することができる。すなわち、送信先への画像データの送信にかかる時間を短縮できるとともに、送信先の記憶媒体の容量の使用量を削減できる、より便利な画像形成装置を提供できる。
この場合、上記データ送信手段は、上記画像形成手段による画像形成後に、画像データを送信先に送信できるようになっていてもよい。
【００１３】
【発明の実施の形態】
以下には、図面を参照して、この発明の実施形態について具体的に説明する。
図１は、この発明の一実施形態に係る画像形成装置１の構成を示すブロック図である。この画像形成装置１は、たとえばデジタル式複写機であって、使用する用紙に対して画像データに基づく画像を形成するものである。
画像形成装置１内には、たとえば、当該画像形成装置１全体を制御するためＣＰＵ２、ソフトウェアが予め記憶されたＲＯＭ３、制御時に必要なデータが書き込まれるＲＡＭ４などを含むマイクロコンピュータが備えられている。また、画像形成装置１には、上記ＣＰＵ２、ＲＯＭ３およびＲＡＭ４の他に、自動原稿搬送装置５、画像読取部６、画像処理回路７、セレクタ８、メモリ９、解像度変換回路１０、画像フォーマット変換回路１１、操作表示部１２、ネットワークＩ／Ｆ回路１３、画像形成部１４などが備えられていて、これらの各部が専用のバス（ＣＰＵバス）を介して互いに通信可能に接続されている。
【００１４】
画像形成部１４には、たとえば、感光体、現像装置、転写装置などが備えられている。この画像形成部１４の構成は従来から周知のものであって、画像形成時には、たとえば円筒状の感光体表面が一様に帯電され、その帯電された感光体表面が画像データに基づいて選択的に露光される。これにより、感光体表面には、いわゆる静電潜像が形成され、この静電潜像が形成された感光体表面に対して現像装置によってトナーが付着されることにより、用紙に転写すべきトナー像が形成される。そして、この感光体表面に形成されたトナー像が転写装置によって用紙に転写されることにより、用紙に対する画像形成が達成される。
【００１５】
この画像形成装置１は、ネットワークＩ／Ｆ回路１３を介して、たとえばＬＡＮ（Ｌｏｃａｌ  Ａｒｅａ  Ｎｅｔｗｏｒｋ）などのネットワークに接続可能となっていて、このネットワークを介して接続されている外部機器（たとえば、１ないし複数台のパーソナルコンピュータ）と通信可能に接続できるようになっている。
用紙に形成すべき画像のデータは、ネットワークを介して外部機器から画像形成装置１に読み込むこともできるし、画像形成装置１に備えられた画像読取部６において原稿の画像を読み取ることによっても得られる。図示しないが、原稿の画像データは、たとえば、画像読取部６に備えられたスキャナから原稿に向けて照射した光の反射光をＣＣＤイメージセンサで検出して、電気信号に変換することにより得られる。
【００１６】
自動原稿搬送装置５は、原稿トレイ５１にセットされた１ないし複数枚の原稿を１枚ずつ自動的に画像読取部６へと送り、その画像を読み取らせるためのものである。自動原稿搬送装置５は、たとえば、画像読取部６の上方に開閉可能（回動可能）に取り付けられていて、この自動原稿搬送装置５を開けると、画像読取部６において原稿の画像を読み取らせる際の載置台としてのコンタクトガラス（図示せず）が現れるようになっている。
【００１７】
この構成によれば、自動原稿搬送装置５を開いてコンタクトガラス上に１枚ずつ原稿をセットして、その画像を画像読取部６で読み取らせることにより、１ページ分の画像データを得ることもできるし、原稿トレイ５１に１ないし複数枚の原稿をセットして、自動原稿搬送装置５により原稿を１枚ずつ画像読取部６へと搬送させ、その画像を読み取らせる（いわゆる流し読み）ことにより、１ないし複数ページ分の画像データを得ることもできる。
【００１８】
自動原稿搬送装置５は、原稿を表裏反転させる機能を備えたものであってもよい。この場合、原稿を表裏反転させて、画像読取部６で原稿の両面の画像を読み取らせることにより、１枚の原稿から２ページ分の画像データが得られる。
画像読取部６で読み取られた原稿の各ページの画像データは、画像処理回路７で所定の画像処理（たとえば、ＣＣＤイメージセンサの読取画素ごとの感度ばらつきを補正するためのシェーディング補正処理、画像データに原稿の濃度に比例する階調特性を持たせるための入力γ補正処理、画像データに対してエッジを強調させたり平滑化したりするためのフィルタ処理、画像読取部６におけるγ特性を補正するための露光γ補正処理など）が施された後、セレクタ８を介してメモリ９に記憶される。
【００１９】
メモリ９に記憶されるべき複数ページ分の画像データは、画像フォーマット変換回路１１に一旦送られ、当該画像フォーマット変換回路１１に備えられた圧縮器により圧縮された後、セレクタ８を介してメモリ９に記憶されるようになっていてもよいし、ＣＰＵ２のソフトウェア処理によって圧縮されてメモリ９に記憶されるようになっていてもよい。このように、複数ページ分の画像データを圧縮してメモリ９に記憶すれば、メモリ９の容量の使用量を削減できる。
【００２０】
この画像形成装置１は、メモリ９に記憶された１ないし複数ページ分の画像データ（画像データを圧縮してメモリ９に記憶させた場合には、その圧縮された画像データを再び画像フォーマット変換回路１１に送り、当該画像フォーマット変換回路１１に備えられた伸張器により伸張したり、ＣＰＵ２のソフトウェア処理によって伸張したりした後の画像データ）に基づいて、画像形成部１４における画像形成を行うモード（画像形成モード）と、その画像データをネットワーク接続された外部機器に送信するモード（スキャナモード）とを選択して実行できるようになっている。
【００２１】
ただし、画像形成装置１は、上記のように画像形成モードとスキャナモードとを選択して実行できるような構成に限らず、画像形成部１４で画像データに基づく画像形成を行った後に、その画像データを外部機器に送信できるような構成であってもよい。
スキャナモードが選択されている場合には、画像読取り終了後、メモリ９に記憶された１ないし複数ページ分の画像データは、解像度変換回路１０に送られて所定の解像度に変換された後、セレクタ８およびメモリ９を介して操作表示部１２に送られる。
【００２２】
操作表示部１２は、当該画像形成装置１における動作内容を設定したり、設定内容や動作状況を表示したりするためのものであって、たとえば、画像形成装置１の上面に配置されている。操作表示部１２には、たとえば、テンキーなどのキー入力部１２１と、タッチパネル付きの液晶表示器により構成される表示画面１２２とが備えられている（図４および図６参照）。スキャナモードでは、操作表示部１２に送られた解像度変換後の画像データに基づいて、表示画面１２２に原稿の各ページの画像が縮小表示（サムネイル表示）されるようになっている。
【００２３】
この実施形態の特徴の１つは、スキャナモードにおいて、操作表示部１２の表示画面１２２にサムネイル表示された原稿の各ページの画像に基づいて、操作者が画像を選択することにより、選択したページの画像データを画像形成装置１にネットワーク接続された複数の送信先に送信（同報配信）する同報配信モード、または、画像読取装置１にネットワーク接続された複数の送信先ごとに選択したページの画像データを送信（個別配信）する個別配信モードを実行できるようになっている点にある。
【００２４】
図２は、スキャナモードにおける画像読取り終了後のＣＰＵ２による制御内容を説明するためのフローチャートである。画像読取りが終了する時点は、コンタクトガラス上に原稿をセットして読み取らせた場合には、その原稿の１ページ分の画像が読み取られた時点であって、自動原稿搬送装置５を用いて原稿を流し読みさせた場合には、その一連の流し読みが終了した時点である。
図２を参照して、スキャナモードでは、ＣＰＵ２は、画像読取部６での原稿の画像の読取りが終了するか否かを常に監視していて（ステップＳ１）、画像読取りが終了すると、操作表示部１２の表示画面１２２に、同報配信モードおよび個別配信モードのいずれで画像データを配信するかの選択を操作者に促すための画面（配信モード選択画面）を表示させる（ステップＳ２）。
【００２５】
そして、配信モード選択画面で操作者が同報配信モードを選択した場合には（ステップＳ３でＹＥＳ）、ＣＰＵ２は、読み取った原稿の画像データを同報配信モードで配信し（ステップＳ４）、配信モード選択画面で操作者が個別配信モードを選択した場合には（ステップＳ３でＮＯ）、ＣＰＵ２は、読み取った原稿の画像データを個別配信モードで配信する（ステップＳ５）。
図３は、同報配信モードにおけるＣＰＵ２の制御内容を説明するためのフローチャートである。また、図４は、同報配信の具体的態様を説明するための模式図である。
【００２６】
同報配信モードでは、まず、ＣＰＵ２は、配信する画像データのファイル形式（フォーマット）を選択するための画面（フォーマット選択画面）を表示画面１２２に表示させる（ステップＴ１）。フォーマット選択画面では、たとえば、ＰＤＦ（Ｐｏｒｔａｂｌｅ  Ｄｏｃｕｍｅｎｔ  Ｆｏｒｍａｔ）形式や、ＴＩＦＦ（Ｔａｇ  Ｉｍａｇｅ  Ｆｉｌｅ  Ｆｏｒｍａｔ）形式などのフォーマットを選択できるようになっている。
フォーマット選択画面で操作者がフォーマットを選択すると（ステップＴ２でＹＥＳ）、ＣＰＵ２は、画像データを同報配信する送信先のアドレスを選択するための画面（アドレス選択画面）を表示画面１２２に表示させる（ステップＴ３）。
【００２７】
そして、操作者が、同報配信する複数の送信先のアドレスを全て選択して、アドレス選択を終了するための操作を行うと（ステップＴ４でＹＥＳ）、ＣＰＵ２は、画像読取部６で読み取った原稿の各ページの画像を表示画面１２２にサムネイル表示させる（ステップＴ５）。
図４では、たとえば、画像読取部６で読み取った３ページ分の原稿の画像（画像「Ａ」、画像「Ｂ」および画像「Ｃ」）が、操作表示部１２の表示画面１２２にサムネイル表示されている。このとき、画像読取部６で読み取った全てのページの画像を表示画面１２２に表示することができない場合には、所定の操作（たとえば、スクロールキーの押操作）に応答して、表示内容が表示画面１２２上を所定方向に流れるように表示（スクロール表示）されるようになっていてもよい。
【００２８】
サムネイル表示が行われている間、ＣＰＵ２は、表示画面１２２上のサムネイル表示されている各ページの画像に対応する部分が押操作されるか否か（ステップＴ６でＹＥＳとなるか否か）、または、ページの選択を終了するための操作が行われるか否か（ステップＴ７でＹＥＳとなるか否か）を監視している。そして、表示画面１２２上のサムネイル表示されているいずれかのページの画像に対応する部分を操作者が押操作すると、そのページが選択され（ステップＴ６でＹＥＳ）、ＣＰＵ２は、そのページの画像データを同報配信する際の解像度を設定するための画面（解像度設定画面）を表示画面１２２に表示させる（ステップＴ８）。
【００２９】
操作者が、解像度設定画面で解像度を設定すると（ステップＴ９でＹＥＳ）、ＣＰＵ２は、再びサムネイル表示を行い（ステップＴ５）、表示画面１２２上のサムネイル表示されている各ページの画像に対応する部分が押操作されるか否か（ステップＴ６でＹＥＳとなるか否か）、または、ページの選択を終了するための操作が行われるか否か（ステップＴ７でＹＥＳとなるか否か）を監視する。
操作者が、同報配信するページを全て選択し、それぞれの画像データの解像度を設定した後、ページの選択を終了するための操作を行った場合には（ステップＴ７でＹＥＳ）、ＣＰＵ２は、選択されたページの画像データをメモリ９から読み出し、解像度変換回路１０により各画像データをステップＴ９で設定した解像度に変換した後（ステップＴ１０）、それらの画像データのフォーマットを画像フォーマット変換回路１１によりステップＴ２で選択したフォーマットに変換する（ステップＴ１１）。
【００３０】
その後、ＣＰＵ２は、フォーマットが変換された画像データをステップＴ４で選択した複数の送信先に向けて同報配信する（ステップＴ１２）。これにより、アドレス選択画面で選択された送信先（たとえば、アドレスＡＤ１，ＡＤ２，ＡＤ３のパーソナルコンピュータ）に、選択されたページの画像データ（たとえば、画像「Ａ」および画像「Ｂ」の画像データ）が配信される（図４参照）。
同報配信モードでは、操作表示部１２の表示画面１２２にサムネイル表示された原稿の画像をページごとに選択することにより、読み取った複数ページ分の画像データのうち必要なページだけを選択して、そのページの画像データだけを送信先に送信することができる。また、送信する画像データの解像度をページごとに変換することができる。
【００３１】
したがって、送信先への画像データの送信にかかる時間を短縮できるとともに、送信先の記憶媒体の容量の使用量を削減でき、便利である。
特に、読み取った複数ページ分の画像データのうち必要なページだけを選択して、そのページの画像データを複数の送信先に送信することができるので、複数の送信先に同じページの画像データを送信する場合には、より短時間で画像データを送信することができ、便利である。
【００３２】
図５は、個別配信モードにおけるＣＰＵ２の制御内容を説明するためのフローチャートである。また、図６は、個別配信の具体的態様を説明するための模式図である。
個別配信モードでは、まず、ＣＰＵ２は、配信する画像データのファイル形式（フォーマット）を選択するための画面（フォーマット選択画面）を表示画面１２２に表示させる（ステップＥ１）。フォーマット選択画面では、同報配信モードの場合と同様に、たとえば、ＰＤＦ（Ｐｏｒｔａｂｌｅ  Ｄｏｃｕｍｅｎｔ  Ｆｏｒｍａｔ）形式や、ＴＩＦＦ（Ｔａｇ  Ｉｍａｇｅ  Ｆｉｌｅ  Ｆｏｒｍａｔ）形式などのフォーマットを選択できるようになっている。
【００３３】
フォーマット選択画面で操作者がフォーマットを選択すると（ステップＥ２でＹＥＳ）、ＣＰＵ２は、画像データを個別配信する送信先のアドレスを選択するための画面（アドレス選択画面）を表示画面に表示させる（ステップＥ３）。
そして、操作者が、個別配信する送信先のアドレスを１つ選択すると（ステップＥ４でＹＥＳ）、ＣＰＵ２は、画像読取部６で読み取った原稿の各ページの画像を表示画面１２２にサムネイル表示させる（ステップＥ５）。
【００３４】
図６では、たとえば、画像読取部６で読み取った３ページ分の原稿の画像（画像「Ａ」、画像「Ｂ」および画像「Ｃ」）が、操作表示部１２の表示画面１２２にサムネイル表示されている。このとき、画像読取部６で読み取った全てのページの画像を表示画面１２２に表示することができない場合には、所定の操作（たとえば、スクロールキーの押操作）に応答して、表示内容が表示画面１２２上を所定方向に流れるように表示（スクロール表示）されるようになっていてもよい。
【００３５】
サムネイル表示が行われている間、ＣＰＵ２は、表示画面１２２上のサムネイル表示されている各ページの画像に対応する部分が押操作されるか否か（ステップＥ６でＹＥＳとなるか否か）、または、ページの選択を終了するための操作が行われるか否か（ステップＥ７でＹＥＳとなるか否か）を監視している。そして、表示画面１２２上のサムネイル表示されているいずれかのページの画像に対応する部分を操作者が押操作すると、そのページが選択され（ステップＥ６でＹＥＳ）、ＣＰＵ２は、そのページの画像データを個別配信する際の解像度を設定するための画面（解像度設定画面）を表示画面１２２に表示させる（ステップＥ８）。
【００３６】
操作者が、解像度設定画面で解像度を設定すると（ステップＥ９でＹＥＳ）、ＣＰＵ２は、再びサムネイル表示を行い（ステップＥ５）、表示画面１２２上のサムネイル表示されている各ページの画像に対応する部分が押操作されるか否か（ステップＥ６でＹＥＳとなるか否か）、または、ページの選択を終了するための操作が行われるか否か（ステップＥ７でＹＥＳとなるか否か）を監視する。
操作者が、個別配信するページを全て選択し、それぞれの画像データの解像度を設定した後、ページの選択を終了するための操作を行った場合には（ステップＥ７でＹＥＳ）、ＣＰＵ２は、選択されたページの画像データをメモリ９から読み出し、解像度変換回路１０により各画像データをステップＥ９で設定した解像度に変換した後（ステップＥ１０）、それらの画像データのフォーマットを画像フォーマット変換回路１１によりステップＥ２で選択したフォーマットに変換する（ステップＥ１１）。
【００３７】
その後、ＣＰＵ２は、フォーマットが変換された画像データをステップＥ４で選択した一の送信先に向けて個別配信する（ステップＥ１２）。これにより、アドレス選択画面で選択された送信先に、選択されたページの画像データが配信される。個別配信が終了した後、個別配信モードを終了するための操作が行われない場合には（ステップＥ１３でＮＯ）、ステップＥ３に戻り、ＣＰＵ２は、再びアドレス選択画面を表示画面１２２に表示させる。
【００３８】
このようにして、操作者は、個別配信する送信先のアドレスを１つずつ選択して（ステップＥ４）、その送信先に個別配信すべきページの画像データの選択および各画像データの解像度の設定を行った後（ステップＥ６およびＥ９）、ページの選択を終了するための操作を行うことにより（ステップＥ７）、選択した送信先ごとに異なるページの画像データを個別配信することができる（ステップＥ１２）。たとえば、図６では、アドレスＡＤ１のパーソナルコンピュータには画像「Ａ」の画像データが、アドレスＡＤ２のパーソナルコンピュータには画像「Ｂ」の画像データが、そして、アドレスＡＤ３のパーソナルコンピュータには画像「Ａ」および画像「Ｃ」の画像データが、それぞれ個別配信されている。
【００３９】
個別配信モードでは、操作表示部１２の表示画面１２２にサムネイル表示された原稿の画像をページごとに選択することにより、読み取った複数ページ分の画像データのうち必要なページだけを選択して、そのページの画像データだけを送信先に送信することができる。また、送信する画像データの解像度をページごとに変換することができる。
したがって、送信先への画像データの送信にかかる時間を短縮できるとともに、送信先の記憶媒体の容量の使用量を削減でき、便利である。
【００４０】
特に、読み取った複数ページ分の画像データのうち必要なページを複数の送信先ごとに選択し、各送信先に送信することができるので、複数の送信先に異なるページの画像データを送信する場合には、送信先の記憶媒体の容量の使用量を必要最低限に削減でき、便利である。
この発明は、以上の実施形態の内容に限定されるものではなく、請求項記載の範囲内において種々の変更が可能である。
【００４１】
たとえば、アドレス選択画面において、予め登録されたアドレスの中から所望のアドレスを選択するのではなく、アドレスを入力するような構成であってもよい。
送信する画像データのページの選択は、タッチパネル付きの液晶表示器により構成される表示画面１２２を押操作することにより行う構成に限らず、キー入力部１２１の押操作により選択できるようになっていてもよい。
【００４２】
また、その他の各種選択・設定（配信モード選択、フォーマット選択、アドレス選択、解像度設定など）は、表示画面１２２を押操作することにより実行できるものであってもよいし、キー入力部１２１の押操作により実行できるものであってもよい。
表示画面１２２は、タッチパネル付きの液晶表示器により構成されるものに限らず、他の表示器により構成されるものであってもよい。
【００４３】
この発明は、画像形成装置１に限らず、たとえば、画像形成部１４を備えていないネットワークスキャナ装置などにも適用可能である。
【図面の簡単な説明】
【図１】この発明の一実施形態に係る画像形成装置の構成を示すブロック図である。
【図２】スキャナモードにおける画像読取り終了後のＣＰＵによる制御内容を説明するためのフローチャートである。
【図３】同報配信モードにおけるＣＰＵの制御内容を説明するためのフローチャートである。
【図４】同報配信の具体的態様を説明するための模式図である。
【図５】個別配信モードにおけるＣＰＵの制御内容を説明するためのフローチャートである。
【図６】個別配信の具体的態様を説明するための模式図である。
【符号の説明】
１  画像形成装置
２  ＣＰＵ
６  画像読取部
９  メモリ
１２  操作表示部
１２２  表示画面
１４  画像形成部
【図１】
2004172874.tif 000003
【図２】
2004172874.tif 000004
【図３】
2004172874.tif 000005
【図４】
2004172874.tif 000006
【図５】
2004172874.tif 000007
【図６】
2004172874.tif 000008